(57)【特許請求の範囲】
【請求項１】
被写体を撮像素子により撮像して、該撮像素子から１フィールド期間内に１フレームの全画像信号を読み出すことで当該被写体の動画撮影を行う画像処理装置であって、
所定の記録フォーマットで規定される１フィールドの垂直走査期間のｎ／ｍ（ｍ，ｎは自然数、ｍ＜ｎ）倍の期間で上記撮像素子の垂直走査を行うことにより、上記所定の記録フォーマットで規定される１フレームの画素数よりも少なくとも垂直方向において画素数が多い画像信号を上記撮像素子から読み出す撮像素子駆動手段と、
上記撮像素子から読み出される１フレームの画像信号に少なくとも垂直方向においてｍ／ｎ倍の縮小処理を施すことにより、上記所定の記録フォーマットで規定される画素数を有する複数フレームからなる動画像信号を生成する画像処理手段と、
を備えることを特徴とする画像処理装置。
【請求項２】
被写体を撮像素子により撮像して、該撮像素子から１フィールド期間内に１フレームの全画像信号を読み出すことで当該被写体の動画撮影を行う画像処理方法であって、
所定の記録フォーマットで規定される１フィールドの垂直走査期間のｎ／ｍ（ｍ，ｎは自然数、ｍ＜ｎ）倍の期間で上記撮像素子の垂直走査を行うことにより、上記所定の記録フォーマットで規定される１フレームの画素数よりも少なくとも垂直方向において画素数が多い画像信号を上記撮像素子から読み出す撮像素子駆動ステップと、
上記撮像素子から読み出される１フレームの画像信号に少なくとも垂直方向においてｍ／ｎ倍の縮小処理を施すことにより、上記所定の記録フォーマットで規定される画素数を有する複数フレームからなる動画像信号を生成する画像処理ステップと、
を含むことを特徴とする画像処理方法。
【発明の詳細な説明】
【０００１】
【発明の属する技術分野】
本発明は、例えば、撮像素子により被写体を撮像して当該被写体のディジタル画像情報を取得する装置或いはシステムに用いられる、画像処理装置、及び画像処理方法に関するものである。
【０００２】
【従来の技術】
近年において、ディジタル信号処理技術や半導体技術の進歩により、ＮＴＳＣ方式やＰＡＬ方式等の標準テレビ方式に準拠した動画像信号をディジタル記録する民生用ディジタルビデオ規格が提案されており、それを適用した装置として、ディジタル記録再生装置と撮像装置を一体化したカメラ一体型記録再生装置である、所謂ディジタルビデオカメラが製品化されている。
【０００３】
上記ディジタルビデオカメラとしては、ディジタル記録という特徴を生かして、静止画信号をもディジタル記録する機能（静止画記録機能）を備えるものがある。また、例えば、コンピュータとの接続のためのディジタルインターフェース（Ｉ／Ｆ）を具備し、被写体を撮像して取得した画像信号をコンピュータ内に取り込むことを可能とする機能を有するものもある。
【０００４】
上述のようなディジタルビデオカメラをテレビジョン装置に接続して、ディジタルビデオカメラで記録された画像信号をテレビジョン装置で再生する場合、このときに画像サイズは、民生用ディジタルビデオ規格で定められた、例えば、７２０×４８０画素のサイズで問題なく、テレビジョン装置で再生することができる。
【０００５】
しかしながら、ディジタルビデオカメラのディジタルＩ／Ｆにより、他のメデイアに対して、ディジタルビデオカメラで記録された画像信号を転送して再生する場合、画質上の問題から、民生用ディジタルビデオ規格で定められた画像サイズの画素数よりも、より多くの画素数が要求される場合がある。
【０００６】
そこで、上記の要求に応えるために、民生用ディジタルビデオ規格で定められた画像サイズの画素数よりも多い画素を有する撮像素子を使用して、当該撮像素子の全画素から得られる画像を縮小することにより、民生用ディジタルビデオ規格で定められる画素数に変換して記録する機能を有する、ディジタルビデオカメラが提供されている。
【０００７】
【発明が解決しようとする課題】
しかしながら、上述したような、民生用ディジタルビデオ規格で定められた画像サイズの画素数よりも多い画素を有する撮像素子を使用した従来のディジタルビデオカメラでは、当該撮像素子の全画素の情報を動画として読み出すために、通常より高い周波数で当該撮像素子を駆動する必要があったので、Ｓ／Ｎの劣化や消費電力の増大を招くという問題があった。
【０００８】
また、上記の問題を解決するために、静止画記録の場合のみ、当該撮像素子の全画素の情報を読み出して記録し、動画記録の場合については、当該撮像素子の全画素のうちの一部の画素の情報を切り出すように構成されたディジタルビデオカメラが提供されているが、このディジタルビデオカメラでは、静止画と動画とで撮影画角が変わってしまうという問題があった。
【０００９】
そこで、本発明は、上記の欠点を除去するために成されたもので、Ｓ／Ｎの劣化や消費電力の増大を招くことなく、且つ静止画と動画とで撮影画角が変わってしまうことなく、高精細な画像を提供できる画像処理装置、及び画像処理方法を提供することを目的とする。
【００１０】
【課題を解決するための手段】
斯かる目的下において、第１の発明は、被写体を撮像素子により撮像して、該撮像素子から１フィールド期間内に１フレームの全画像信号を読み出すことで当該被写体の動画撮影を行う画像処理装置であって、所定の記録フォーマットで規定される１フィールドの垂直走査期間のｎ／ｍ（ｍ，ｎは自然数、ｍ＜ｎ）倍の期間で上記撮像素子の垂直走査を行うことにより、上記所定の記録フォーマットで規定される１フレームの画素数よりも少なくとも垂直方向において画素数が多い画像信号を上記撮像素子から読み出す撮像素子駆動手段と、上記撮像素子から読み出される１フレームの画像信号に少なくとも垂直方向においてｍ／ｎ倍の縮小処理を施すことにより、上記所定の記録フォーマットで規定される画素数を有する複数フレームからなる動画像信号を生成する画像処理手段と、を備えることを特徴とする。
【００１１】
第２の発明は、被写体を撮像素子により撮像して、該撮像素子から１フィールド期間内に１フレームの全画像信号を読み出すことで当該被写体の動画撮影を行う画像処理方法であって、所定の記録フォーマットで規定される１フィールドの垂直走査期間のｎ／ｍ（ｍ，ｎは自然数、ｍ＜ｎ）倍の期間で上記撮像素子の垂直走査を行うことにより、上記所定の記録フォーマットで規定される１フレームの画素数よりも少なくとも垂直方向において画素数が多い画像信号を上記撮像素子から読み出す撮像素子駆動ステップと、上記撮像素子から読み出される１フレームの画像信号に少なくとも垂直方向においてｍ／ｎ倍の縮小処理を施すことにより、上記所定の記録フォーマットで規定される画素数を有する複数フレームからなる動画像信号を生成する画像処理ステップと、を含むことを特徴とする。
【００６６】
【発明の実施の形態】
以下、本発明の実施の形態について図面を用いて説明する。
【００６７】
（第１の実施の形態）
本発明は、例えば、図１に示すようなディジタルビデオカメラ１００に適用される。
【００６８】
［ディジタルビデオカメラ１００の全体構成］
このディジタルビデオカメラ１００は、単板ビデオカメラであり、上記図１に示すように、被写体像を撮像素子１０２上に結像させる結像光学系１０１と、結像光学系１０１により受光面上に入射する光学像を電気信号に変換して出力する撮像素子（ＣＣＤ）１０２と、ＣＣＤ１０２を駆動するためのパルス信号を発生するＣＣＤ駆動パルス発生器１０３と、ＣＣＤ１０２の出力信号の雑音を低減し適正なレベルに増幅して出力するＣＤＳ／ＡＧＣ回路１０４と、ＣＤＳ／ＡＧＣ回路１０４の出力信号（アナログ信号）をディジタル信号に変換して出力するＡＤ変換器１０５と、ＡＤ変換器１０５の出力信号から画像信号を生成するカメラ信号処理部１０６と、カメラ信号処理部１０６にて得られた画像の水平方向のサイズを変換する水平サイズ変換部１０９と、カメラ信号処理部１０６にて得られた画像の垂直方向のサイズを変換する垂直サイズ変換部１１０と、水平サイズ変換部１０９及び垂直サイズ変換部１１０での変換処理後の画像信号を記録媒体に記録し、また、当該記録媒体に記録された情報を再生するための圧縮処理、伸長処理、変調処理、及び復調処理等の信号処理を行う記録再生信号処理部１１１と、記録再生信号処理部１１１での処理後の画像信号を記録媒体へ記録するための記録ヘッド１１２と、記録媒体から情報を再生するための再生ヘッド１１３と、外部機器との間でディジタル信号を受け渡しするためのディジタルＩ／Ｆ１１４と、外部機器との間でアナログ信号を受け渡しするためのビデオＩ／Ｆ１１５と、ディジタルビデオカメラ１００での撮影画角を制御する手段としてのズームスイッチ１０７と、ズームスイッチ１０７により入力された撮影画角に応じてディジタルビデオカメラ１００内の各構成部を制御するズーム制御回路１０８とを備えている。
【００６９】
尚、以下からは、ディジタルビデオカメラ１００の主なる構成及びその動作について説明するが、本実施の形態では説明の簡単のため、標準テレビジョン方式をＮＴＳＣ方式と仮定して、画像サイズやタイミング等の数値を導出するものとする。但し、これは一例であって、本発明の適用範囲はこれに限定されるものではない。
【００７０】
［ＣＣＤ１０２］
被写体からの入射光は、結像光学系１０１により、撮像素子としてのＣＣＤ（Ｃｈａｒｇｅ  Ｃｏｕｐｌｅｄ  Ｄｅｖｉｃｅ）１０２の受光面上に結像され、ＣＣＤ１０２にて電気信号に変換（光電変換）される。
【００７１】
ここで、ＣＣＤ１０２の受光面上には、カラー撮像のための色フィルタアレイが貼り付けてある。
この色フィルタアレイの配列は、例えば、図２に示すように、ＲＧＢの色フィルタが周期的に配置されたものとしている。
【００７２】
また、ＣＣＤ１０２は、標準テレビフォーマットから決定される１フレームの画素数より多い画素を有する。
具体的には、ＮＴＳＣ方式において、システムの動作周波数を１３．５ＭＨｚとした場合、１フレームの画像は、水平７２０画素、垂直４８０画素により構成されるが、ＣＣＤ１０２は、例えば、水平方向及び垂直方向のそれぞれの画素数を、水平７２０画素、垂直４８０画素の１．５倍の、水平１０８０画素、垂直７２０画素としている。
【００７３】
また、ＣＣＤ１０２は、一般にビデオカメラ用に用いられる２：１インターレース対応の読み出しではなく、１フィールド期間内に全走査線情報を読み出す、所謂全画素読み出しと呼ばれるタイプのＣＣＤである。
【００７４】
また、ＣＣＤ１０２は、垂直転送を高速に行う機能を有する。
【００７５】
上述のようなＣＣＤ１０２は、ＣＣＤ駆動パルス発生器３から供給される駆動パルスにより駆動され、上記光電変換により取得した電気信号を出力する。
このとき、ＣＣＤ１０２は、垂直転送を高速に行う機能により、垂直ブランキング期間中に受光面（撮像面）の上下部分を構成する画素の信号（画素信号）を高速転送により破棄して、受光面の中央部の画素の信号のみを出力する。
【００７６】
［ズーム制御回路１０８による撮像動作モードの制御］
ズーム制御スイッチ１０７は、使用者が撮影画角を入力するためのスイッチであり、ズーム制御回路１０８は、ズーム制御スイッチ１０７のスイッチ状態（操作状態）により、ディジタルビデオカメラ１００の撮像動作モードの制御（結像光学系１０１、ＣＣＤ駆動パルス発生器１０３、カメラ信号処理部１０６、水平サイズ変換部１０９、及び垂直サイズ変換部１１０等の動作制御）を行って、撮影画角を変化させる。したがって、この撮像動作モードに応じて、上述したＣＣＤ１０２は、異なるタイミングで駆動される。
【００７７】
図３は、上記撮影画角に対する撮像動作モードの定義を示したものである。
本実施の形態では、上記図３に示す状態Ｉの撮像動作モードを”ディジタルワイドモード”、同図に示す状態ＩＩの撮像動作モードを”光学ズームモード”、同図に示す状態ＩＩＩの撮像動作モードを”ディジタルズームモード”と呼ぶことにする。
【００７８】
すなわち、ディジタルワイドモードとは、結像光学系１０１の焦点距離を一番短い状態（ｆW ）に固定し、有効画面（水平７２０画素、垂直４８０画素からなる画面）よりも広い画面の画素信号をＣＣＤ１０２より読み出し、その読出画素信号に対して補間処理を施すことで、縮小した画面を生成するモードであり、このときの縮小倍率を連続的に可変することによりズーム動作を行う。
ＣＣＤ１０２は、上述したように有効画面に対して水平及び垂直方向のそれぞれが１．５倍の画素を有するので、焦点距離に換算して最大ｆｗ／１．５までの画角がえられる。
【００７９】
光学ズームモードとは、ＣＣＤ１０２から出力される信号に対応する画面の大きさを有効画面と等しくし、結像光学系１０１の焦点距離を変化させることにより画角を変化させるモードである。
【００８０】
ディジタルズームモードとは、結像光学系１０１の焦点距離を一番長い状態（ｆT ）に固定し、有効画面より狭い（小さい）画面を構成する画素信号をＣＣＤから読み出し、その読出信号に対して補間処理を施すことで、拡大した画面を生成するモードであり、このときの拡大倍率を連続的に可変することによりズーム動作を行う。
【００８１】
上述のようなディジタルワイドモード、光学ズームモード、ディジタルズームモードでのＣＣＤ１０２の駆動タイミングは、次のようになる。
【００８２】
（１）光学ズームモード及びディジタルズームモードでのＣＣＤ１０２の駆動タイミング
光学ズームモード及びディジタルズームモードにおいては、垂直走査周波数が標準テレビジョン方式（ここでは、ＮＴＳＣ方式）のフィールド周波数と等しくなるように、ＣＣＤ１０２を駆動する。
【００８３】
このとき、ＣＣＤ１０２が有する全画素の信号を、１フィールド期間内に読み出そうとすると、動作周波数が非常に高速となり消費電力が増大し、また、回路の広帯域化に伴って、映像信号のＳ／Ｎが劣化するという問題が生じる。
すなわち、７２０×４８０の画素を、２：１インターレースで読み出す場合の動作周波数に対して、水平及び垂直方向のそれぞれが７２０×４８０の画素の１．５倍である全ての画素信号を１フィールド期間で読み出す場合の動作周波数は、
１３．５（ＭＨｚ）×１．５（水平）×１．５（垂直）×２（全画素読み出し）＝６０．７５ＭＨｚ
となり、上記の問題が生じる。
【００８４】
そこで、本実施の形態では、ＣＣＤ１０２の受光面（撮像面）を構成する全画素のうち、画像生成に不要な上下領域内の画素信号を、垂直ブランキング期間内で高速に転送することにより破棄し、画像生成に必要な撮像面の中央部の領域内の画素信号のみを読み出すことにより、上記の問題を解決する。
【００８５】
具体的には、図４に示すように、ＣＣＤ１０２の撮像面１０２ａにおいて、画像生成に不要な上下の領域α，β（図中斜線で示す領域）内の画素信号を、垂直ブランキング期間に破棄する。この結果、撮像面１０２ａの中央部（図中斜線以外の領域）内の画素信号のみが読み出される。
この場合の動作周波数は、
１３．５（ＭＨｚ）×１．５（水平）×２（全画素読み出し）＝４０．５ＭＨｚ
となり、上記の問題が解決することができる。
【００８６】
上記図４に示したような、ＣＣＤ１０２の画素信号の読出タイミングは、図５（ａ）及び（ｂ）、図６（ａ）及び（ｂ）に示される。
【００８７】
すなわち、光学ズームモードにおける垂直走査期間でのＣＣＤ１０２の画素信号の読出タイミングは、図５（ａ）に示され、同モードにおける水平走査期間でのＣＣＤ１０２の画素信号の読出タイミングは、同図（ｂ）に示される。
【００８８】
上記図５（ａ）及び（ｂ）において、”ＶＤ”は垂直同期信号を表し、”ＨＤ”は水平同期信号を表し、”ＣＣＤ信号”はＣＣＤ１０２から読み出される画素信号を表す。
また、ここでは、垂直走査期間を”１／５９．９４ｓｅｃ（＝１６．７ｍｓｅｃ）”、水平走査期間を”２１／（５９．９４×５２５）（＝３１．８μｓｅｃ）”とし、さらに、垂直走査期間を、ＮＴＳＣ方式のフィールド期間と一致したものとし、水平走査期間を、ＮＴＳＣ方式の１／２としている。
【００８９】
上記図５（ａ）に示すように、垂直ブランキング期間内に、ＣＣＤ１０２の撮像面の全画素のうち、上下合わせて２４０ライン分の画素信号（図中斜線部分で示す画像生成に使用されない上下の領域内の画素の信号）を高速転送により破棄し、有効映像期間内に、有効画面を構成する４８０ライン分の画素信号（画像生成に必要な領域内の画素信号）を出力するように、ＣＣＤ１０２を駆動する。
【００９０】
一方、ディジタルズームモードにおける垂直走査期間でのＣＣＤ１０２の画素信号の読出タイミングは、図６（ａ）に示され、同モードにおける水平走査期間でのＣＣＤ１０２の画素信号の読出タイミングは、同図（ｂ）に示される。
【００９１】
上記図６（ａ）に示すように、ディジタルズームモードにおいても、上述した光学ズームモードと同様に、垂直ブランキング期間内に、ＣＣＤ１０２の撮像面の全画素のうち、画像生成に使用されない上下の領域内の画素信号を高速転送により破棄し、有効映像期間内に、画像生成に必要な領域内の画素信号を出力するように、ＣＣＤ１０２を駆動する。
【００９２】
ここで、ディジタルズームモードでは、拡大率に応じて画素信号を読み出す領域の大きさが変化するため、走査線単位で間欠的に画素信号を出力すように、ＣＣＤ１０２を駆動することで、１垂直走査期間で有効画面を生成するために必要な画素信号が得られるようにする。
具体的には例えば、拡大率が２倍の場合、必要となる走査線数は、２４０ラインとなるため、上記図６（ｂ）に示すように、１水平走査期間おきに、ＣＣＤ１０２の画素信号の出力を停止する。これにより、１垂直走査期問に、２４０ライン分の画素信号が得られることになる。
【００９３】
（２）ディジタルワイドモードでのＣＣＤ１０２の駆動タイミング
ディジタルワイドモードにおいては、画像生成に必要な領域が有効画面よりも広くなるために、１フィールド期間内に必要な信号を全て得ることができない。したがって、垂直走査期間がフィールド期間に対して簡単な整数比になるように当該垂直走査期間を延長して、ＣＣＤ１０２を駆動することで、１垂直走査期間内に必要な信号を全て取得できるようにする。
【００９４】
この場合のＣＣＤ１０２の画素信号の読出タイミングは、図７に示される。
上記図７では、ＣＣＤ１０２の垂直走査期間を、ＮＴＳＣ方式でのフィールド期間の４／３としている。したがって、ＣＣＤ１０２からは、４フィールド期間を要して、３フレーム分の画素信号が読み出されることになる。
このように、垂直走査期間を４／３倍に延長することで、ＣＣＤ１０２から、垂直方向に最大６４０画素の信号を読み出すことが可能になる。
【００９５】
また、ディジタルワイドモードでは、縮小率に応じて画素信号を読み出す領域の大きさが変化するため、上述した光学ズームモード及びディジタルズームモードと同様に、垂直ブランキング期間内に、ＣＣＤ１０２の撮像面の全画素のうち、画像生成に使用されない上下の領域内の画素信号（上記図７中斜線で示す）を高速転送により破棄し、有効映像期間内に、画像生成に必要な領域内の画素信号を出力するように、ＣＣＤ１０２を駆動する。
【００９６】
図８は、ディジタルワイドモードでの縮小倍率に対するＣＣＤ１０２の垂直走査期間の制御を示したものである。
【００９７】
上記図８において、横軸は縮小倍率を表し、左側の縦軸は走査線数を表し、右側の縦軸はＣＣＤ１０２の垂直走査期間を表す。
また、”２０１”で示す直線（細線）は、縮小倍率に対して４８０ラインを生成するために必要な走査線の数を示したものであり、”２０２”で示す直線（太線）は、縮小倍率に対するＣＣＤ１０２の垂直走査期間の制御を示したものである。
【００９８】
また、左側の縦軸の”（１）”〜”（４）”で示す縦軸の座標（走査線数）は、垂直走査期間をそれぞれ６／５倍、５／４倍、４／３倍、３／２倍に延長した場合に、ＣＣＤ１０２から読み出しうる走査線の最大数を示したものである。
【００９９】
上記図８に示すように、縮小倍率が１．０倍からα倍までは、ＣＣＤ１０２の垂直走査期間をＮＴＳＣのフィールド期間の６／５倍（図中”（１）”参照）に延長したタイミングで、ＣＣＤ１０２を駆動する。また、縮小倍率がα倍からβ倍までは、ＣＣＤ１０２の垂直走査期間をＮＴＳＣのフィールド期間の５／４倍（図中”（２）”参照）に延長したタイミングで、ＣＣＤ１０２を駆動する。以降同様に、縮小倍率がβ倍からγ倍までは４／３倍（図中”（３）”参照）、縮小倍率がγ倍から１．５倍までは３／２倍（図中”（４）”参照）に、それぞれ延長したタイミングでＣＣＤ１０２を駆動する。
【０１００】
このように、ＣＣＤ１０２の垂直走査期間の制御を段階的に行うことで、コマ落ちによる動きの不自然さを最低限に抑えることができる。
【０１０１】
上述のようにして、ＣＣＤ１０２は、その垂直走査期間が制御され、これによりＣＣＤ１０２から出力された画素信号（以下、「ＣＣＤ信号」とも言う）は、ＣＤＳ／ＡＧＣ回路（雑音低減回路）１０４を介して、ＡＤ変換器１０５にてディジタル信号に変換された後、カメラ信号処理部１０６へ供給される。
カメラ信号処理部１０６は、ＡＤ変換器１０５から供給されたディジタル信号（映像信号）から、輝度信号ＹＩと色差信号ＣＩを取得し、それらの信号を水平サイズ変換部１０９へ供給する。
【０１０２】
［水平サイズ変換部１０９］
水平サイズ変換部１０９は、例えば、図９に示すように、カメラ信号処理部１０６から供給される輝度信号ＹＩに対しての処理部である、セレクタ３０１、ＦＩＦＯメモリ３０２、セレクタ３０３、補間回路３０４、セレクタ３０５と、カメラ信号処理部１０６から供給される色差信号ＣＩに対しての処理部である、セレクタ３０６、ＦＩＦＯメモリ３０７、セレクタ３０８、補間回路３０９、セレクタ３１０と、ズーム制御回路１０８からの制御信号ＺＯＯＭに基づいて補間回路（水平補間回路）３０４，３０９を制御する補間制御回路３１１と、ズーム制御回路１０８からの制御信号ＺＯＯＭに基づいてＦＩＦＯメモリ３０２，３０７を制御するメモリ制御回路３１２と、ズーム制御回路１０８からの制御信号ＺＯＯＭに基づいてセレクタ３０１，３０３，３０５，３０６，３０８，３１０の切換動作を制御する信号経路制御回路３１３とを備えており、セレクタ３０５，３１０の出力（ＹＯ１，ＣＯ１）が、垂直サイズ変換部１１０へと供給されるようになされている。
【０１０３】
上述のような水平サイズ変換部１０９は、ディジタルワイドモード、光学ズームモード、ディジタルズームモードの各モードに対して、次のように動作する。
【０１０４】
（１）光学ズームモードでの水平サイズ変換部１０９の動作
まず、セレクタ３０１，３０６はそれぞれ、入力端子Ａ及び入力端子Ｂを有し、それらの入力端子Ａ及び入力端子Ｂへの各入力の何れかを、信号経路制御回路３１３からの制御に従って選択して出力する。
また、セレクタ３０５，３１０はそれぞれ、入力端子Ｅ及び入力端子Ｆを有し、それらの入力端子Ｅ及び入力端子Ｆへの各入力の何れかを、信号経路制御回路３１３からの制御に従って選択して出力する。
尚、光学ズームモードでは、補間処理は行わないため、セレクタ３０３，３０８、及び補間回路３０４，４０９は動作しない。
【０１０５】
そこで、光学ズームモードでは、信号経路制御回路３１３は、ズーム制御回路１０８からの制御信号ＺＯＯＭにより、入力端子Ｂへ供給された信号を選択して出力するようにセレクタ３０１，３０６を制御する。
【０１０６】
このとき、セレクタ３０１の入力端子Ｂに対しては、カメラ信号処理部１０６からの輝度信号ＹＩが供給され、セレクタ３０６の入力端子Ｂに対しては、カメラ信号処理部１０６からの色差信号ＣＩが供給されている。
したがって、ＦＩＦＯメモリ３０２に対しては、輝度信号ＹＩが書き込まれ、ＦＩＦＯメモリ３０７に対しては、色差信号ＣＩが書き込まれることになる。
【０１０７】
ＦＩＦＯメモリ３０２，３０７はそれぞれ、ＣＣＤ１０２から読み出された横長の画像（水平方向のサイズが１０８０画素である画像）のうち、有効領域（水平方向のサイズが７２０画素の領域）が取り出されるように、書込信号の読み出しが、メモリ制御回路３１２から制御される。
【０１０８】
このとき、メモリ制御回路３１２により、ＦＩＦＯメモリ３０２，３０７の信号読出の周波数を、信号書込の周波数（すなわち、ＣＣＤ１０２の信号読出の周波数）の２／３の周波数（＝２７．０ＭＨｚ）とすることで、ＦＩＦＯメモリ３０２，３０７の前後の系で、水平走査周波数を一致させることができる。
【０１０９】
図１０は、光学ズームモードにおいて、メモリ制御回路３１２による水平走査期間内での、例えば、ＦＩＦＯメモリ３０２の信号読出の制御タイミングを示したものである。
尚、ＦＩＦＯメモリ３０７の信号読出の制御タイミングについては、以下に説明するＦＩＦＯメモリ３０２の信号読出の制御タイミングと同様であるため、その詳細な説明は省略する。
【０１１０】
上記図１０において、”ＨＤ”は、水平同期信号を表し、”ＷＥ”は、ＦＩＦＯメモリ３０２ヘの信号書込を許可するイネーブル信号を表し、”ＷＲＳＴ”は、ＦＩＦＯメモリ３０２の書込アドレスをリセットするリセット信号を表し、”ＲＲＳＴ”は、ＦＩＦＯメモリ３０２の読出アドレスをリセットするリセット信号を表し、”ＲＥ”は、ＦＩＦＯメモリ３０２の読出イネーブル信号を表し、”Ｙ２”は、ＦＩＦＯメモリ３０２への入力信号を表し、”Ｙ４”は、ＦＩＦＯメモリ３０２の出力信号である。
【０１１１】
上記図１０に示すように、ＣＣＤ１０２から読み出された横長の画像（水平方向のサイズが１０８０画素である画像）のうち、中心部の有効領域（水平方向のサイズが７２０画素の領域）に対応する信号（ここでは、７２０画素分の輝度信号）のみを、ＦＩＦＯメモリ３０２へ書き込み、この７２０画素分の信号を、書込周波数の２／３の周波数で、ＦＩＦＯメモリ３０２から読み出すように、ＦＩＦＯメモリ３０２のメモリアクセス（信号書込及び読出）を制御する。
これにより、ＦＩＦＯメモリ３０２の前後の系で、水平走査周波数を一致させて、ＣＣＤ１０２から読み出された横長の画像（水平方向のサイズが１０８０画素である画像）のうちの、中心部の有効領域（水平方向のサイズが７２０画素の領域）に対応する信号のみを取り出すことが可能となる。
【０１１２】
また、ＦＩＦ０メモリ３０２，３０７は、少なくとも１４４０画素（すなわち、走査線２本分の画素）の信号分の容量を有しており、入力信号に対して、水平走査１期間の遅延を持って、出力信号が得られるようになされている。
【０１１３】
上述のような制御によりＦＩＦＯメモリ３０２，３０７から読み出された輝度信号ＹＩ及び色差信号ＣＩは、セレクタ３０５，３１０の各入力端子Ｆへ供給される。
【０１１４】
信号経路制御回路３１３は、ズーム制御回路１０８からの制御信号ＺＯＯＭにより、入力端子Ｆへ供給された信号を選択して出力するようにセレクタ３０５，３１０を制御する。
これにより、垂直サイズ変換部１１０へは、ＣＣＤ１０２から読み出された横長の画像（水平方向のサイズが１０８０画素である画像）のうちの、中心部の有効領域（水平方向のサイズが７２０画素の領域）に対応する輝度信号ＹＯ１及び色差信号ＣＯ１が供給されることになる。
【０１１５】
（２）ディジタルズームモードでの水平サイズ変換部１０９の動作
ディジタルズームモードにおいても、上述した光学ズームモードと同様に、信号経路制御回路３１３は、ズーム制御回路１０８からの制御信号ＺＯＯＭにより、入力端子Ｂへ供給された信号を選択して出力するようにセレクタ３０１，３０６を制御する。
これにより、ＦＩＦＯメモリ３０２に対しては、輝度信号ＹＩが書き込まれ、ＦＩＦＯメモリ３０７に対しては、色差信号ＣＩが書き込まれることになる。
【０１１６】
図１１は、ディジタルズームモードにおいて、メモリ制御回路３１２による水平走査期間内での、例えば、ＦＩＦＯメモリ３０２の信号読出の制御タイミングを示したものである。ここでの拡大倍率は、４／３倍としている。
尚、ＦＩＦＯメモリ３０７の信号読出の制御タイミングについては、以下に説明するＦＩＦＯメモリ３０２の信号読出の制御タイミングと同様であるため、その詳細な説明は省略する。
【０１１７】
ディジタルズームモードでは、拡大倍率に応じて、必要な画像領域に対応する信号のみが、ＦＩＦＯメモリ３０２に書き込まれる。
ここでは、一例として、拡大倍率を４／３倍としているため、上記図１１に示すように、ＣＣＤ１０２から読み出された横長の画像（水平方向のサイズが１０８０画素である画像）のうちの、中心部の有効領域（水平方向のサイズが５４０画素の領域）に対応する信号のみが、ＦＩＦＯメモリ３０２に書き込まれる。
【０１１８】
ＦＩＦＯメモリ３０２に書き込まれた信号（水平方向のサイズが５４０画素の領域に対応する信号）が、光学ズームモードと等しい周波数（＝２７ＭＨｚ）で間欠的に読み出される。
【０１１９】
図１２は、拡大倍率が４／３倍の場合の、メモリ制御回路３１２によるＦＩＦＯメモリ３０２の間欠読出動作の制御タイミングを示したものである。
尚、ＦＩＦＯメモリ３０７の間欠読出動作の制御タイミングについては、以下に説明するＦＩＦＯメモリ３０２の間欠読出動作の制御タイミングと同様であるため、その詳細な説明は省略する。
【０１２０】
上記図１２において、”ＲＣＬＫ”は、ＦＩＦＯメモリ３０２の読出クロックを表し、その周波数は、２７ＭＨｚとしている。”ＲＥ”は、ＦＩＦＯメモリ３０２の読出イネーブル信号を表し、ＬＯＷレベルの信号期間は、読出アドレスがカウントアップされずに、前のデータが保持されるようになされている。
【０１２１】
上記図１２に示すように、４画素周期で３画素分の信号が読み出されるように、読出イネーブル信号ＲＥを制御する。これにより、７２０画素の期間に５４０画素の信号が得られる。
【０１２２】
上述のようにして、ＦＩＦＯメモリ３０２，３０７からレート変換されて読み出された輝度信号ＹＩ及び色差信号ＣＩは、セレクタ３０３，３０８の各入力端子Ｃへ供給される。
【０１２３】
信号経路制御回路３１３は、ズーム制御回路１０８からの制御信号ＺＯＯＭにより、入力端子Ｃへ供給された信号を選択して出力するようにセレクタ３０３，３０８を制御する。
これにより、補間回路３０４に対しては、レート変換後の輝度信号ＹＩが供給され、補間回路３０９に対しては、レート変換後の色差信号ＣＩが供給される。
【０１２４】
補間回路３０４，３０９は、補間制御回路３１１からの制御により、セレクタ３０３，３０８からの輝度信号ＹＩ及び色差信号ＣＩに対して、拡大倍率に応じた内挿補間処理を施す。
【０１２５】
具体的には、例えば、補間回路３０４は、図１３に示すように、セレクタ３０３からの輝度信号ＹＩ（Ｙ１）が供給される１クロック遅延器４０１及び第１の係数器（Ｋ１）４０３と、１クロック遅延器４０１の出力が供給される第２の係数器（Ｋ２）４０４と、第１の係数器（Ｋ１）４０３及び第２の係数器（Ｋ２）４０４の各出力が供給される加算器４０５と、補正制御回路３１１からの制御信号（ＣＯＮＴ）が供給される係数発生器４０２とを備えており、係数発生器４０２の出力は、第１の係数器（Ｋ１）４０３及び第２の係数器（Ｋ２）４０４へ供給されるようになされている。
そして、加算器４０５の出力が、セレクタ３０５へと供給されるようになされている。
尚、補間回路３０９についての構成及び動作については、上記図１３に示した構成及び以下に説明する補間回路３０４の動作と同様であるため、その詳細な説明は省略する。
【０１２６】
上述のような補間回路３０４において、拡大率が４／３倍である場合の、補間前の画素信号（○）と補間後の画素信号（△）との幾何学的位置関係及び線形内挿における係数（後述する第１の係数Ｋ１及び第２の係数Ｋ２）は、図１４に示され、当該係数による補間信号Ｙ３（補間回路３０４の出力）の生成タイミングは、図１５に示される。
【０１２７】
そこで、先ず、セレクタ３０３からの輝度信号ＹＩ（Ｙ１）、すなわちＦＩＦＯメモリ３０２から読み出された輝度信号Ｙ１は、第１の係数器４０３に供給されると共に、１クロック遅延器４０１により１クロック遅延されて第２の係数器４０４に供給される。
【０１２８】
このとき、係数発生器４０２は、上記図１４に示したような補間画素の幾何学的位置に基づいて、第１の係数Ｋ１及び第２の係数Ｋ２を、第１の係数器４０３及び第２の係数器４０４に対して発生する。
【０１２９】
第１の係数器４０３は、ＦＩＦＯメモリ３０２から読み出された輝度信号Ｙ１に対して、係数発生器４０２の第１の係数Ｋ１を乗じた結果を、加算器４０５へ供給する。
第２の係数器４０４は、１クロック遅延器４０１により１クロック遅延された上記輝度信号Ｙ１に対して、係数発生器４０２の第２の係数Ｋ２を乗じた結果を、加算器４０５へ供給する。
【０１３０】
加算器４０５は、第１の係数器４０３及び第２の係数器４０４からの各信号を加算し、その加算結果を補間信号Ｙ３として、セレクタ３０５へ供給する。
【０１３１】
上述のようにして、補間回路３０４にて得られた補間信号は、セレクタ３０５の入力端子Ｅへ供給され、同様にして補間回路３０９にて得られた補間信号もセレクタ３１０の入力端子Ｅへ供給される。
【０１３２】
信号経路制御回路３１３は、ズーム制御回路１０８からの制御信号ＺＯＯＭにより、入力端子Ｅへ供給された信号を選択して出力するようにセレクタ３０５，３１０を制御する。
これにより、セレクタ３０５，３１０からは、拡大倍率に応じて水平方向に拡大処理された輝度信号ＹＯ１及び色差信号ＣＯ１が出力され、これらの輝度信号ＹＯ１及び色差信号ＣＯ１が、垂直サイズ変換部１１０へと供給される。
【０１３３】
（３）ディジタルワイドモードでの水平サイズ変換部１０９の動作
ディジタルワイドモードでは、信号経路制御回路３１３は、ズーム制御回路１０８からの制御信号ＺＯＯＭにより、入力端子Ｄへ供給された信号を選択して出力するようにセレクタ３０３，３０８を制御する。
【０１３４】
このとき、セレクタ３０３の入力端子Ｄに対しては、カメラ信号処理部１０６からの輝度信号ＹＩが供給され、セレクタ３０８の入力端子Ｄに対しては、カメラ信号処理部１０６からの色差信号ＣＩが供給されている。
したがって、補間回路３０４に対しては、輝度信号ＹＩが供給され、補間回路３０９に対しては、色差信号ＣＩが供給されることになる。
【０１３５】
補間回路３０４，３０９は、補間制御回路３１１からの制御により、セレクタ３０３，３０８からの輝度信号ＹＩ及び色差信号ＣＩに対して、縮小倍率に応じた内挿補間処理を施す。
【０１３６】
例えば、縮小倍率が３／４倍である場合、上記図１３に示した補間回路３０４，３０９の構成での、補間前の画素信号（○）と補間後の画素信号（△）との幾何学的位置関係及び線形内挿における係数（第１の係数Ｋ１及び第２の係数Ｋ２）は、図１６に示され、当該係数による補間信号Ｙ３（補間回路３０４の出力）の生成タイミングは、図１７に示される。
【０１３７】
そこで、補間回路３０４において、先ず、セレクタ３０３からの輝度信号ＹＩは、第１の係数器４０３に供給されると共に、１クロック遅延器４０１により１クロック遅延されて第２の係数器４０４に供給される。
【０１３８】
このとき、係数発生器４０２は、上記図１６に示したような補間画素の幾何学的位置に基づいて、第１の係数Ｋ１及び第２の係数Ｋ２を、第１の係数器４０３及び第２の係数器４０４に対して発生する。
【０１３９】
第１の係数器４０３は、セレクタ３０３からの輝度信号ＹＩに対して、係数発生器４０２の第１の係数Ｋ１を乗じた結果を、加算器４０５へ供給する。
第２の係数器４０４は、１クロック遅延器４０１により１クロック遅延された上記輝度信号Ｙ１に対して、係数発生器４０２の第２の係数Ｋ２を乗じた結果を、加算器４０５へ供給する。
【０１４０】
加算器４０５は、第１の係数器４０３及び第２の係数器４０４からの各信号を加算し、その加算結果を補間信号Ｙ３として、セレクタ３０５へ供給する。
【０１４１】
また、補間回路３０９も、補間回路３０４と同様にして、セレクタ３０８からの色差信号ＣＩの補間信号を取得して、セレクタ３１０へと供給する。
【０１４２】
上述のように、縮小倍率が３／４倍である場合、補間回路３０４，３０９では、４画素の信号から３画素の信号が生成される。このような補間信号は、セレクタ３０１，３０６の入力端子Ａへ供給される。
【０１４３】
信号経路制御回路３１３は、入力端子Ａへ供給された信号を選択して出力するようにセレクタ３０１，３０６を制御する。
これにより、ＦＩＦＯメモリ３０２に対しては、輝度信号ＹＩの補間信号が書き込まれ、ＦＩＦＯメモリ３０７に対しては、色差信号ＣＩの補間信号が書き込まれることになる。すなわち、ＦＩＦＯメモリ３０２，３０７へは、補間回路３０４，３０９での縮小倍率に応じた内挿補間により、不要な画素を間引かれた信号（縮小画像信号）が書き込まれる。
【０１４４】
図１８は、ディジタルワイドモードにおいて、縮小倍率が３／４倍の場合の、メモリ制御回路３１２によるＦＩＦＯメモリ３０２の間引書込動作の制御タイミングを示したものである。
尚、ＦＩＦＯメモリ３０７の間引書込動作の制御タイミングについては、以下に説明するＦＩＦＯメモリ３０２の間引書込動作の制御タイミングと同様であるため、その詳細な説明は省略する。
【０１４５】
上記図１８において、”ＷＣＬＫ”は、ＦＩＦＯメモリ３０２の書込クロックを表し、その周波数は、４０．５ＭＨｚとしている。”ＷＥ”は、ＦＩＦＯメモリ３０２の書込イネーブル信号を表し、ＬＯＷレベルの信号期間は、信号書込は行われない。
【０１４６】
上記図１８に示すように、４画素周期で３画素分の信号が書き込まれるように、書込イネーブル信号ＷＥを制御する。これにより、元の９６０画素から生成された７２０画素の信号がＦＩＦＯメモリ３０２に書き込まれる。
【０１４７】
図１９は、縮小倍率が４／３倍での、ＦＩＦＯメモリ３０２の信号書込の制御タイミングを示したものである。
尚、ＦＩＦＯメモリ３０７の信号書込の制御タイミングについては、以下に説明するＦＩＦＯメモリ３０２の信号書込の制御タイミングと同様であるため、その詳細な説明は省略する。
【０１４８】
上記図１９に示すように、ディジタルワイドモードでは、縮小倍率に応じて不要な画素が間引かれながら、必要な画素の信号のみが、ＦＩＦＯメモリ３０２へ書き込まれる。
ここでは、一例として、縮小倍率を３／４倍としているため、ＣＣＤ１０２から読み出された横長の画像（水平方向のサイズが１０８０画素である画像）のうちの、中心部の有効領域（水平方向のサイズが９６０画素の領域）に対応する期間から、縮小生成された７２０画素の信号がＦＩＦＯメモリ３０２へ書き込まれる。そして、この７２０画素の信号が、光学ズームモード及びディジタルズームモードと等しい周波数（２７ＭＨｚ）で読み出され出力される。
【０１４９】
上述のようにして、ＦＩＦＯメモリ３０２，３０７から読み出された輝度信号ＹＩ及び色差信号ＣＩの補間信号は、セレクタ３０５，３１０の各入力端子Ｆへ供給される。
【０１５０】
信号経路制御回路３１３は、ズーム制御回路１０８からの制御信号ＺＯＯＭにより、入力端子Ｆへ供給された信号を選択して出力するようにセレクタ３０５，３１０を制御する。
これにより、セレクタ３０５，３１０からは、縮小倍率に応じて水平方向に縮小処理された輝度信号ＹＯ１及び色差信号ＣＯ１が出力され、これらの輝度信号ＹＯ１及び色差信号ＣＯ１が、垂直サイズ変換部１１０へと供給される。
【０１５１】
［垂直サイズ変換部１１０］
垂直サイズ変換部１１０は、上述のようにして、水平サイズ変換部１０９により、水平方向のサイズ変換が施された輝度信号ＹＯ１及び色差信号ＣＯ１に対して、垂直方向の拡大又は縮小処理を施す。
【０１５２】
例えば、垂直サイズ変換部１１０は、図２０に示すように、水平サイズ変換部１０９からの水平方向のサイズ変換が施された輝度信号ＹＯ１に対しての処理部である、セレクタ５０１、ＦＩＦＯメモリ５０２、セレクタ５０３、補間回路５０４、セレクタ５０５と、水平サイズ変換部１０９からの水平方向のサイズ変換が施された色差信号ＣＯ１に対しての処理部である、セレクタ５０６、ＦＩＦＯメモリ５０７、セレクタ５０８、補間回路５０９、セレクタ５１０と、ズーム制御回路１０８からの制御信号ＺＯＯＭに基づいて補間回路（垂直補間回路）５０４，５０９を制御する補間制御回路５１１と、ズーム制御回路１０８からの制御信号ＺＯＯＭに基づいてＦＩＦＯメモリ５０２，５０７を制御するメモリ制御回路５１２と、ズーム制御回路１０８からの制御信号ＺＯＯＭに基づいてセレクタ５０１，５０３，５０５，５０６，５０８，５１０の切換動作を制御する信号経路制御回路５１３とを備えており、セレクタ５０５，５１０の出力（ＹＯ２，ＣＯ２）が、記録再生信号処理回路１１１へと供給されるようになされている。
【０１５３】
上述のような垂直サイズ変換部１１０は、ディジタルワイドモード、光学ズームモード、ディジタルズームモードの各モードに対して、次のように動作する。
【０１５４】
（１）光学ズームモードでの垂直サイズ変換部１１０の動作
まず、セレクタ５０１，５０６はそれぞれ、入力端子Ａ及び入力端子Ｂを有し、それらの入力端子Ａ及び入力端子Ｂへの各入力の何れかを、信号経路制御回路５１３からの制御に従って選択して出力する。
また、セレクタ５０５，５１０はそれぞれ、入力端子Ｅ及び入力端子Ｆを有し、それらの入力端子Ｅ及び入力端子Ｆへの各入力の何れかを、信号経路制御回路５１３からの制御に従って選択して出力する。
尚、光学ズームモードでは、補間処理は行わないため、セレクタ５０３，５０８、及び補間回路５０４，５０９は動作しない。
【０１５５】
そこで、光学ズームモードでは、信号経路制御回路５１３は、ズーム制御回路１０８からの制御信号ＺＯＯＭにより、入力端子Ｂへ供給された信号を選択して出力するようにセレクタ５０１，５０６を制御する。
【０１５６】
このとき、セレクタ５０１の入力端子Ｂに対しては、水平サイズ変換部１０９からの水平方向のサイズ変換が施された輝度信号ＹＯ１が供給され、セレクタ５０６の入力端子Ｂに対しては、水平サイズ変換部１０９からの水平方向のサイズ変換が施された色差信号ＣＯ１が供給されている。
したがって、ＦＩＦＯメモリ５０２に対しては、輝度信号ＹＯ１が書き込まれ、ＦＩＦＯメモリ５０７に対しては、色差信号ＣＯ１が書き込まれることになる。
【０１５７】
図２１は、光学ズームモードでのメモリ制御回路５１２による、例えば、ＦＩＦＯメモリ５０２の信号書込の制御タイミングを示したものである。
尚、ＦＩＦＯメモリ５０７の信号書込の制御タイミングについては、以下に説明するＦＩＦＯメモリ５０２の信号読出の制御タイミングと同様であるため、その詳細な説明は省略する。
【０１５８】
上記図２１において、”ＶＤ”は、垂直同期信号を表し、”ＷＥ”は、ＦＩＦＯメモリ５０２ヘの信号書込を許可するイネーブル信号を表し、”ＷＲＳＴ”は、ＦＩＦＯメモリ５０２の信号書込アドレスをリセットするリセット信号を表し、”ＲＲＳＴ”は、ＦＩＦＯメモリ５０２の信号読出アドレスをリセットするリセット信号を表し、”ＲＥ”は、ＦＩＦＯメモリ５０２の読出イネーブル信号を表し、”Ｙ２”は、ＦＩＦＯメモリ５０２への入力信号を表し、”Ｙ４”は、ＦＩＦＯメモリ５０２からの出力信号を表す。
【０１５９】
上記図２１に示すように、ＦＩＦＯメモリ５０２では、入力に対して１垂直走査期間の遅延をもって出力が得られる。
【０１６０】
上述のような制御によりＦＩＦＯメモリ５０２，５０７から読み出された輝度信号ＹＯ１及び色差信号ＣＯ１は、セレクタ５０５，５１０の各入力端子Ｆへ供給される。
【０１６１】
信号経路制御回路５１３は、ズーム制御回路１０８からの制御信号ＺＯＯＭにより、入力端子Ｆへ供給された信号を選択して出力するようにセレクタ５０５，５１０を制御する。
したがって、記録再生信号処理回路１１１へは、水平サイズ変換部１０９にて水平方向のサイズ変換が施された輝度信号ＹＯ１及び色差信号ＣＯ１に対して１垂直走査期間の遅延をもった信号（輝度信号ＹＯ２及び色差信号ＣＯ２）が供給される。
【０１６２】
（２）ディジタルズームモードでの垂直サイズ変換部１１０の動作
ディジタルズームモードにおいても、上述した光学ズームモードと同様に、信号経路制御回路５１３は、ズーム制御回路１０８からの制御信号ＺＯＯＭにより、入力端子Ｂへ供給された信号を選択して出力するようにセレクタ５０１，５０６を制御する。
これにより、ＦＩＦＯメモリ５０２に対しては、輝度信号ＹＯ１が書き込まれ、ＦＩＦＯメモリ５０７に対しては、色差信号ＣＯ１が書き込まれることになる。
【０１６３】
図２２は、ディジタルズームモードでのメモリ制御回路５１２による、例えば、ＦＩＦＯメモリ５０２の信号書込の制御タイミングを示したものである。ここでの拡大倍率は、４／３倍としている。
尚、ＦＩＦＯメモリ５０７の信号書込及び読出の制御タイミングについては、以下に説明するＦＩＦＯメモリ５０２の信号書込及び読出の制御タイミングと同様であるため、その詳細な説明は省略する。
【０１６４】
ディジタルズームモードでは、拡大倍率に応じて、必要な画像領域に対応する画素（走査線）の信号のみが、ＦＩＦＯメモリ５０２に書き込まれる。
ここでは、一例として、拡大倍率を４／３倍としているため、上記図２２に示すように、ＣＣＤ１０２から読み出された４８０ラインの画素信号のうちの、３６０ラインの画素信号のみが、ＦＩＦＯメモリ５０２に書き込まれる。この３６０ラインの信号は、ＦＩＦＯメモリ５０２から間欠的に読み出される。
【０１６５】
図２３は、拡大倍率が４／３倍の場合の、メモリ制御回路５１２によるＦＩＦＯメモリ５０２の間欠読出動作の制御タイミングを示したものである。
【０１６６】
上記図２３において、”ＨＤ”は、水平同期信号を表し、”ＲＥ”は、ＦＩＦＯメモリ５０２の読出イネーブル信号を表し、ＬＯＷレベルの信号期間は、データの読出は行われない。
【０１６７】
上記図２３に示すように、４ライン周期で３ライン分の信号が読み出されるように、読出イネーブル信号ＲＥを制御する。これにより、４８０ラインの期間に３６０ライン分の信号（輝度信号Ｙ４）が得られる。
【０１６８】
上述のようにして、ＦＩＦＯメモリ５０２，５０７から読み出された輝度信号ＹＯ１及び色差信号ＣＯ１は、セレクタ５０３，５０８の各入力端子Ｃへ供給される。
【０１６９】
信号経路制御回路５１３は、ズーム制御回路１０８からの制御信号ＺＯＯＭにより、入力端子Ｃへ供給された信号を選択して出力するようにセレクタ５０３，５０８を制御する。
これにより、補間回路５０４に対しては、輝度信号ＹＯ１が供給され、補間回路５０９に対しては、色差信号ＣＯ１が供給される。
【０１７０】
補間回路５０４，５０９は、補間制御回路５１１からの制御により、セレクタ５０３，５０８からの輝度信号ＹＯ１及び色差信号ＣＯ１に対して、拡大倍率に応じた内挿補間処理を施す。
【０１７１】
具体的には、例えば、補間回路５０４は、図２４に示すように、セレクタ５０３からの輝度信号ＹＯ１（Ｙ１）が供給される１水平走査期間遅延器６０１及び第１の係数器（Ｋ１）６０３と、１水平走査期間遅延器６０１の出力が供給される第２の係数器（Ｋ２）６０４と、第１の係数器（Ｋ１）６０３及び第２の係数器（Ｋ２）６０４の各出力が供給される加算器６０５と、補正制御回路５１１からの制御信号（ＣＯＮＴ）が供給される係数発生及びメモリ制御部６０２とを備えており、係数発生及びメモリ制御部６０２の出力は、第１の係数器（Ｋ１）６０３、第２の係数器（Ｋ２）６０４、及び１水平走査期間遅延器６０１へ供給されるようになされている。
そして、加算器６０５の出力が、セレクタ５０５へと供給されるようになされている。
尚、補間回路５０９についての構成及び動作については、上記図２４に示した構成及び以下に説明する補間回路５０４の動作と同様であるため、その詳細な説明は省略する。
【０１７２】
上述のような補間回路５０４において、拡大率が４／３倍である場合の、補間前の画素信号（○）と補間後の画素信号（△）との幾何学的位置関係及び線形内挿における係数（後述する第１の係数Ｋ１及び第２の係数Ｋ２）は、図２５に示される。
【０１７３】
また、上記係数による補間信号Ｙ３（補間回路５０４の出力）の生成タイミングは、図２６に示される。
上記図２６において、”ＨＤ”は、水平同期信号を表し、”Ｙ１”は、補間回路５０４への入力信号を表し、”ＷＥ”は、１水平期間遅延回路６０１の書込イネーブル信号を表し、”Ｙｄ”は、１水平期間遅延回路６０１の出力信号を表し、”Ｋ１”は、第１の係数器６０３に供給される係数（第１の係数）を表し、”Ｋ２”は、第２の係数器６０４に供給される係数（第２の係数）を表し、”Ｙ３”は、補間回路５０４の出力信号を表す。
【０１７４】
そこで、先ず、セレクタ５０３からの輝度信号ＹＯ１（Ｙ１）、すなわちＦＩＦＯメモリ５０２から読み出された輝度信号Ｙ１は、第１の係数器６０３に供給されると共に、１水平期間遅延器６０１により１水平期間遅延されて第２の係数器６０４に供給される。
【０１７５】
このとき、係数発生及びメモリ制御部６０２は、上記図２５に示したような補間画素の幾何学的位置に基づいて、第１の係数Ｋ１及び第２の係数Ｋ２を、第１の係数器６０３及び第２の係数器６０４に対して発生する。
また、係数発生及びメモリ制御部６０２は、ＦＩＦＯメモリ５０２での間引き読み出しによって、入力信号Ｙ１の無い期間（上記図２６中の斜線で示す期間）は、１水平期間遅延回路６０１への書き込みを禁止するように、１水平期間遅延回路６０１ｎのメモリ制御を行う。
【０１７６】
第１の係数器６０３は、ＦＩＦＯメモリ５０２から読み出された輝度信号ＹＯ１に対して、係数発生器６０２の第１の係数Ｋ１を乗じた結果を、加算器６０５へ供給する。
第２の係数器６０４は、１水平期間遅延器６０１により１水平期間遅延された上記輝度信号ＹＯ１に対して、係数発生器６０２の第２の係数Ｋ２を乗じた結果を、加算器６０５へ供給する。
【０１７７】
加算器６０５は、第１の係数器６０３及び第２の係数器６０４からの各信号を加算し、その加算結果を補間信号Ｙ３として、セレクタ５０５へ供給する。
【０１７８】
上述のようにして、補間回路５０４にて得られた補間信号は、セレクタ５０５の入力端子Ｅへ供給され、同様にして補間回路５０９にて得られた補間信号もセレクタ５１０の入力端子Ｅへ供給される。
【０１７９】
信号経路制御回路５１３は、ズーム制御回路１０８からの制御信号ＺＯＯＭにより、入力端子Ｅへ供給された信号を選択して出力するようにセレクタ５０５，５１０を制御する。
これにより、セレクタ５０５，５１０からは、拡大倍率に応じて垂直方向に拡大処理された輝度信号ＹＯ２及び色差信号ＣＯ２（ここでは、３６０ラインが４／３倍に拡大されて４８０ラインとなった信号）が出力され、これらの輝度信号ＹＯ２及び色差信号ＣＯ２が、記録再生信号処理回路１１１へと供給される。
【０１８０】
（３）ディジタルワイドモードでの垂直サイズ変換部１１０の動作
ディジタルワイドモードでは、信号経路制御回路５１３は、ズーム制御回路１０８からの制御信号ＺＯＯＭにより、入力端子Ｄへ供給された信号を選択して出力するようにセレクタ５０３，５０８を制御する。
【０１８１】
このとき、セレクタ５０３の入力端子Ｄに対しては、水平サイズ変換部１０９からの輝度信号ＹＯ１が供給され、セレクタ５０８の入力端子Ｄに対しては、水平サイズ変換部１０９からの色差信号ＣＯ１が供給されている。
したがって、補間回路５０４に対しては、輝度信号ＹＯ１が供給され、補間回路３０９に対しては、色差信号ＣＯ１が供給されることになる。
【０１８２】
補間回路５０４，５０９は、補間制御回路５１１からの制御により、セレクタ５０３，５０８からの輝度信号ＹＯ１及び色差信号ＣＯ１に対して、縮小倍率に応じた内挿補間処理を施す。
【０１８３】
例えば、縮小倍率が３／４倍である場合、上記図２４に示した補間回路５０４の構成での、補間前の画素信号（○）と補間後の画素信号（△）との幾何学的位置関係及び線形内挿における係数（第１の係数Ｋ１及び第２の係数Ｋ２）は、図２７に示される。
【０１８４】
また、上記係数による補間信号Ｙ３（補間回路５０４の出力）の生成タイミングは、図２８に示される。
上記図２８において、”ＨＤ”は、水平同期信号を表し、”Ｙ１”は、補間回路５０４への入力信号を表し、”Ｙｄ”は、１水平期間遅延回路６０１の出力信号を表し、”Ｋ１”は、第１の係数器６０３に供給される係数（第１の係数）を表し、”Ｋ２”は、第２の係数器６０４に供給される係数（第２の係数）を表し、”Ｙ３”は、補間回路５０４の出力信号を表す。
【０１８５】
尚、補間回路５０９における係数（第１の係数Ｋ１及び第２の係数Ｋ２）、補間信号の生成タイミング、及び動作については、補間回路５０４と同様であるため、その詳細な説明は省略する。
【０１８６】
そこで、補間回路５０４において、先ず、セレクタ５０３からの輝度信号ＹＯ１（Ｙ１）、すなわちＦＩＦＯメモリ５０２から読み出された輝度信号Ｙ１は、第１の係数器６０３に供給されると共に、１水平期間遅延器６０１により１水平期間遅延されて第２の係数器６０４に供給される。
【０１８７】
このとき、係数発生及びメモリ制御部６０２は、上記図２７に示したような補間画素の幾何学的位置に基づいて、第１の係数Ｋ１及び第２の係数Ｋ２を、第１の係数器６０３及び第２の係数器６０４に対して発生する。
【０１８８】
第１の係数器６０３は、ＦＩＦＯメモリ５０２から読み出された輝度信号ＹＯ１に対して、係数発生器６０２の第１の係数Ｋ１を乗じた結果を、加算器６０５へ供給する。
第２の係数器６０４は、１水平期間遅延器６０１により１水平期間遅延された上記輝度信号ＹＯ１に対して、係数発生器６０２の第２の係数Ｋ２を乗じた結果を、加算器６０５へ供給する。
【０１８９】
加算器６０５は、第１の係数器６０３及び第２の係数器６０４からの各信号を加算し、その加算結果を補間信号Ｙ３として、セレクタ５０５へ供給する。
【０１９０】
上述のように、縮小倍率が３／４倍である場合、補間回路５０４，５０９では、４ラインの信号から３ラインの信号が生成される。このような補間信号は、セレクタ５０１，５０６の入力端子Ａへ供給される。
【０１９１】
信号経路制御回路５１３は、入力端子Ａへ供給された信号を選択して出力するようにセレクタ５０１，５０６を制御する。
これにより、ＦＩＦＯメモリ５０２に対しては、輝度信号ＹＯ１の補間信号が書き込まれ、ＦＩＦＯメモリ５０７に対しては、色差信号ＣＯ１の補間信号が書き込まれることになる。すなわち、ＦＩＦＯメモリ５０２，５０７へは、補間回路５０４，５０９での縮小倍率に応じた内挿補間により、不要な画素を間引かれた信号（縮小画像信号）が書き込まれる。
【０１９２】
図２９は、ディジタルワイドモードにおいて、縮小倍率が３／４倍の場合の、メモリ制御回路５１２によるＦＩＦＯメモリ５０２の間引書込動作の制御タイミングを示したものである。
尚、ＦＩＦＯメモリ５０７の間引書込動作の制御タイミングについては、以下に説明するＦＩＦＯメモリ５０２の間引書込動作の制御タイミングと同様であるため、その詳細な説明は省略する。
【０１９３】
上記図２９において、”ＨＤ”は、水平同期信号を表し、”ＷＥ”は、ＦＩＦＯメモリ５０２の書込イネーブル信号を表し、ＬＯＷレベルの信号期間は、信号書込は行われない。
【０１９４】
上記図２９に示すように、４ライン周期で３ライン分の信号が書き込まれるように、書込イネーブル信号ＷＥを制御する。これにより、元の６４０ラインから生成された４８０画素の信号がＦＩＦＯメモリ５０２に書き込まれる。
【０１９５】
図３０は、縮小倍率が４／３倍の場合の、垂直走査期間内でのＦＩＦＯメモリ５０２の信号書込の制御タイミングを示したものである。
尚、ＦＩＦＯメモリ５０７の信号書込の制御タイミングについては、以下に説明するＦＩＦＯメモリ５０２の信号書込の制御タイミングと同様であるため、その詳細な説明は省略する。
【０１９６】
上記図３０に示すように、ディジタルワイドモードでは、縮小倍率に応じて不要なラインが間引かれながら、必要なラインの信号のみが、ＦＩＦＯメモリ５０２へ書き込まれる。
【０１９７】
また、縮小倍率に応じてＣＣＤ１０２の垂直動作期間が延長され、メモリ制御回路５１２により、ＦＩＦＯメモリ５０２への信号書込が、ＣＣＤ１０２の垂直走査に同期したタイミングで制御され、ＦＩＦＯメモリ５０２からの信号読出が、ＮＴＳＣ方式でのフィールド期間に同期したタイミングで制御される。
【０１９８】
ここでは、一例として、縮小倍率を３／４倍としているため、６４０ラインの信号から縮小生成された４８０ラインの信号が、４／３倍のフィールド期間でＦＩＦＯメモリ５０２へ書き込まれる。この４８０ラインの信号を、ＮＴＳＣ方式でのフィールド期間に読み出すことにより、ＮＴＳＣ方式の動画像が得られる。また、４フィールドに一回同一フレームを２回読み出すような制御をすることで、ＦＩＦＯメモリ５０２の信号書込と信号読出の同期をとることができる。
【０１９９】
上述のようにして、ＦＩＦＯメモリ５０２，５０７から読み出された輝度信号ＹＯ１及び色差信号ＣＯ１の補間信号は、セレクタ５０５，５１０の各入力端子Ｆへ供給される。
【０２００】
信号経路制御回路５１３は、ズーム制御回路１０８からの制御信号ＺＯＯＭにより、入力端子Ｆへ供給された信号を選択して出力するようにセレクタ５０５，５１０を制御する。
これにより、セレクタ５０５，５１０からは、縮小倍率に応じて垂直方向に縮小処理された輝度信号ＹＯ２及び色差信号ＣＯ２が出力され、これらの輝度信号ＹＯ２及び色差信号ＣＯ２が、記録再生信号処理回路１１１へと供給される。
【０２０１】
［記録再生信号処理回路１１１］
記録再生信号処理回路１１１は、垂直サイズ変換部１１０からの輝度信号ＹＯ２及び色差信号ＣＯ２に対して、記録のための圧縮符号化、エラー訂正符号付加、及び変調等の処理を施し、その処理後の輝度信号ＹＯ２及び色差信号ＣＯ２を、記録ヘッド１１２を経由して記録媒体に記録する。
【０２０２】
また、記録再生信号処理回路１１１は、再生ヘッド１１３を経由して記録媒体から信号を再生する。
【０２０３】
ここで、記録再生信号処理回路１１１は、例えば、民生用ディジタルビデオ規格に従ったフォーマットで記録再生を実施するようになされており、取り扱う画像を、水平方向７２０画素、垂直方向４８０画素の６０ｆｒａｍｅ／ｓｅｃの画像としている。
【０２０４】
したがって、記録の際には、記録再生信号処理回路１１１は、垂直サイズ変換部１１０からの、水平方向７２０画素、垂直方向４８０画素のｆｒａｍｅ／ｓｅｃの信号から、インターレース走査に間引き標準テレビ信号として記録を行う。
【０２０５】
上述のように、本実施の形態では、撮像素子１０２の撮像面（記録フォーマットより多い画素を有する撮像面）において、画像の生成に不要な領域（上下領域）の信号を垂直ブランキング期間内で高速転送することで破棄し、画像の生成に必要な領域（中央部領域）の信号（画角に対応した画素数の信号）のみを読み出し、その読出信号から、記録フォーマットで規定される画素数の画像を取得するように構成したので、撮像素子１０２の動作周波数の増大による消費電力の増大やＳ／Ｎの劣化を招くことなく、また、撮像素子１０２の水平走査周波数及び駆動周波数をかえることなく、最大で撮像素子の有する全画素で構成される画像と等しい画角の動画像を提供することが可能となる。
【０２０６】
（第２の実施の形態）
本発明は、例えば、図３１に示すようなディジタルビデオカメラ７００に適用される。
このディジタルビデオカメラ７００は、上記図１に示したディジタルビデオカメラ１００と同様に構成としているが、使用者から指示された動画記録モード又は静止画記録モードに応じて動作するようになされている。
尚、上記図３１のディジタルビデオカメラ７００において、上記図１のディジタルビデオカメラ１００と同様に動作する箇所には同じ符号を付し、その詳細な説明は省略する。
【０２０７】
具体的には、ディジタルビデオカメラ７００は、第１の記録再生部７００ａと、第２の記録再生部７００ｂとの２種類の記録再生部と共に、動画記録モード又は静止画記録モードを選択指示するためのモードＳＷ７１６を備えている。
【０２０８】
第１の記録再生部７００ａは、ＮＴＳＣ方式の動画像及び静止画像を記録するための処理部であり、上記図１に示した水平サイズ変換部１０９、垂直サイズ変換部１１０、記録再生信号処理回路１１１、ディジタルインターフェース１１４、及びビデオインターフェース１１５と同様の機能を有する、水平サイズ変換部７０９、垂直サイズ変換部７１０、画像記録再生部７１９、ディジタルインターフェース７１４、及びビデオインターフェース７１５を備えている。
【０２０９】
第２の記録再生部７００ｂは、任意の画素数の静止画像を記録するための処理部であり、上記図１に示した水平サイズ変換部１０９、垂直サイズ変換部１１０、記録再生信号処理回路１１１、及びディジタルインターフェース１１４と同様の機能を有する、水平サイズ変換部７１７、垂直サイズ変換部７１８、画像記録再生部７１９、及びディジタルインターフェース７２２を備えると共に、記録画素数入力部７２０を備えている。
【０２１０】
そこで、先ず、ディジタルビデオカメラ７００の動作モードが、使用者からモードスイッチ７１６により指示される。すなわち、動画記録モードと静止画記録モードが使用者により目的に応じて選択指示される。
【０２１１】
本実施の形態では、動画記録モードでのディジタルビデオカメラ７００の動作は、上記図１に示したディジタルビデオカメラ１００の動作と同様であるので、静止画記録モードでのディジタルビデオカメラ７００の動作について具体的に説明する。
【０２１２】
静止画記録モードでは、ＣＣＤ１０２の垂直走査周期を、ＮＴＳＣ方式でのフィールド期間の３／２倍となるように、ＣＣＤ１０２を駆動して、ＣＣＤ１０２の有する全画素の信号を読み出す。
また、静止画記録モードでは、ＣＣＤ１０２から読み出す画素信号の画素数は一定にして、結像光学系１０１の焦点距離を変化させることで、画角を変化させる。
【０２１３】
上述のようなＣＣＤ１０２の駆動制御により、ＣＣＤ１０２から読み出された信号は、ＣＤＳ／ＡＧＣ回路（雑音低減回路）１０４、及びＡＤ変換器１０５を介して、ディジタル信号としてカメラ信号処理部１０６へ供給される。
【０２１４】
カメラ信号処理部１０６は、ＡＤ変換器１０５から供給された信号から、輝度信号ＹＩ及び色差信号ＣＩを生成し、それらの輝度信号ＹＩ及び色差信号ＣＩを、第１の記録再生部７００ａの水平サイズ変換部７１０（以下、「第１の水平サイズ変換部７１０」とも言う）、及び第２の記録再生部７００ｂの水平サイズ変換部７１７（以下、「第２の水平サイズ変換部７１７」とも言う）へ供給する。
【０２１５】
第１の水平サイズ変換部７０９及び第２の水平サイズ変換部７１７はそれぞれ、上記図９に示した構成（上記図１に示した水平サイズ変換部１０９の構成）と同様の構成としている。
【０２１６】
第１の水平サイズ変換部７０９は、静止画記録モードでは、ＣＣＤ１０２から読み出される画素信号の画素数が常に水平方向１０８０画素、垂直方向７２０画素であることにより、カメラ信号処理部１０６からの信号（ＹＩ，ＣＩ）に対して、水平方向の縮小倍率が２／３倍の縮小処理を施す。
【０２１７】
一方、第２の水平サイズ変換部７１７は、カメラ信号処理部１０６からの信号（ＹＩ，ＣＩ）に対して、記録画素数入力部７２０により入力された画素数（水平方向の画素数）に変換する処理を施す。
【０２１８】
第１の水平サイズ変換部７０９及び第２の水平サイズ変換部７１７での処理後の信号（ＹＯ１，ＣＯ１）は、それぞれ対応する垂直サイズ変換部７１０（以下、「第１の垂直サイズ変換部７１０」とも言う）、及び垂直サイズ変換部７１８（以下、「第２の垂直サイズ変換部７１８」とも言う）へ供給される。
【０２１９】
第１の垂直サイズ変換部７１０及び第２の垂直サイズ変換部７１８はそれぞれ、上記図２０に示した構成（上記図１に示した垂直サイズ変換部１１０の構成）と同様の構成としている。
【０２２０】
第１の垂直サイズ変換部７１０は、第１の水平サイズ変換部７０９と同様に、第１の水平サイズ変換部７０９からの信号（ＹＯ１，ＣＯ１）に対して、垂直方向の縮小倍率が２／３倍の縮小処理を施す。このとき、第１の垂直サイズ変換部７１０は、垂直走査期間の変換も行う。
そして、第１の垂直サイズ変換部７１０は、静止画トリガスイッチ（図示せず）のタイミングで、内部のＦＩＦＯメモリの画像をフリーズして、この画像を画像記録再生部７１１へ供給する。
したがって、静止画トリガスイッチ（図示せず）のタイミングの画像が静止画として、画像記録再生部７１１により記録媒体に記録される。
【０２２１】
一方、第２の垂直サイズ変換部７１８は、第２の水平サイズ変換部７１７と同様に、第２の水平サイズ変換部７１７からの信号（ＹＯ１，ＣＯ１）に対して、記録画素数入力部７２０により入力されたライン数（垂直方向のライン数）に変換する処理を施す。
そして、第２の垂直サイズ変換部７１８は、静止画トリガスイッチ（図示せず）のタイミングで、内部のＦＩＦＯメモリの画像をフリーズして、この画像を画像記録再生部７１９へ供給する。
したがって、静止画トリガスイッチ（図示せず）のタイミングの画像が静止画として、画像記録再生部７１９により記録媒体に記録される。
【０２２２】
上述のように、本実施の形態では、上述した第１の実施の形態と同様な、撮像素子１０２の撮像面において、画像の生成に不要な領域の信号を垂直ブランキング期間内で高速転送することで破棄し、画像の生成に必要な領域の信号のみを読み出し、その読出信号から、記録フォーマットで規定される画素数の画像を取得する構成（第１の記録再生部７００ａ）と共に、さらに、上記読出信号から任意の画素数の画像を生成する構成（第２の記録再生部７００ｂ）を設けるようにしたので、動画と同じ画角の静止画を同時に提供することができる。
【０２２３】
尚、本発明の目的は、上述した第１及び第２の各実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
この場合、記憶媒体から読み出されたプログラムコード自体が上記各実施の形態の機能を実現することとなり、そのプログラムコードを記憶した記憶媒体は本発明を構成することとなる。
プログラムコードを供給するための記憶媒体としては、ＲＯＭ、フロッピーディスク、ハードディスク、光ディスク、光磁気ディスク、ＣＤ−ＲＯＭ、ＣＤ−Ｒ、磁気テープ、不揮発性のメモリカード等を用いることができる。
また、コンピュータが読みだしたプログラムコードを実行することにより、上記各実施の形態の機能が実現されるだけでなく、そのプログラムコードの指示に基づき、コンピュータ上で稼動しているＯＳ等が実際の処理の一部又は全部を行い、その処理によって上記各実施の形態の機能が実現される場合も含まれることは言うまでもない。
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって上記各実施の形態の機能が実現される場合も含まれることは言うまでもない。
【０２２４】
【発明の効果】
以上説明したように本発明によれば、撮像素子の動作周波数の増大、それに伴う消費電力の増大やＳ／Ｎの劣化を招くことなく、撮像素子の有する全画素の情報を用いて、高精細な動画像を提供することができる。また、動画像と同じ画角の静止画を同時に提供することができる。
【図面の簡単な説明】
【図１】第１の実施の形態において、本発明を適用したディジタルビデオカメラの構成を示すブロック図である。
【図２】上記ディジタルビデオカメラの撮像素子（ＣＣＤ）における色フィルタの配列を説明するための図である。
【図３】上記ディジタルビデオカメラのズーム制御回路の動作を説明するための図である。
【図４】上記撮像素子の撮像面において、読出信号の領域を説明するための図である。
【図５】上記ディジタルビデオカメラにおいて、光学ズームモードにおける撮像素子の駆動タイミングを説明するための図である。
【図６】上記ディジタルビデオカメラにおいて、ディジタルズームモードにおける撮像素子の駆動タイミングを説明するための図である。
【図７】上記ディジタルビデオカメラにおいて、ディジタルワイドモードにおける撮像素子の駆動タイミングを説明するための図である。
【図８】上記ディジタルワイドモードにおける撮像素子の垂直走査期間の制御を説明するための図である。
【図９】上記ディジタルビデオカメラの水平サイズ変換部の構成を示すブロック図である。
【図１０】上記光学ズームモードにおける水平サイズ変換部の動作タイミングを説明するための図である。
【図１１】上記ディジタルズームモードにおける水平サイズ変換部の動作タイミングを説明するための図である。
【図１２】上記ディジタルズームモードにおける水平サイズ変換部のＦＩＦＯメモリの間欠読出動作を説明するための図である。
【図１３】上記水平サイズ変換部の水平補間回路の構成を示すブロック図である。
【図１４】上記ディジタルズームモードでの水平補間回路における補間前の画素と補間後の画素との幾何学的位置関係及び線形内挿における係数を説明するための図である。
【図１５】上記デジタルズームモードでの水平補間回路における各信号のタイミングを説明するための図である。
【図１６】上記ディジタルワイドモードでの水平補間回路における補間前の画素と補間後の画素との幾何学的位置関係及び線形内挿における係数を説明するための図である。
【図１７】上記ディジタルワイドモードでの水平補問回路における各信号のタイミングを説明するための図である。
【図１８】上記ディジタルワイドモードにおける水平サイズ変換部のＦＩＦＯメモリの間欠読出動作を説明するための図である。
【図１９】上記ディジタルワイドモードにおける水平サイズ変換部の動作タイミングを説明するための図である。
【図２０】上記ディジタルビデオカメラの垂直サイズ変換部の構成を示すブロック図である。
【図２１】上記光学ズームモードにおける垂直サイズ変換部の動作タイミングを説明するための図である。
【図２２】上記ディジタルズームモードにおける垂直サイズ変換部の動作タイミングを説明するための図である。
【図２３】上記ディジタルズームモードにおける垂直サイズ変換部のＦＩＦＯメモリの間欠読出動作を説明するための図である。
【図２４】上記垂直サイズ変換部の垂直補間回路の構成を示すブロック図である。
【図２５】上記ディジタルズームモードでの垂直補間回路における補間前の画素と補間後の画素との幾何学的位置関係及び線形内挿における係数を説明するための図である。
【図２６】上記デジタルズームモードでの垂直補間回路における各信号のタイミングを説明するための図である。
【図２７】上記ディジタルワイドモードでの垂直補間回路における補間前の画素と補間後の画素との幾何学的位置関係及び線形内挿における係数を説明するための図である。
【図２８】上記デジタルワイドモードでの垂直補間回路における各信号のタイミングを説明するための図である。
【図２９】上記デジタルワイドモードでの垂直補間回路のＦＩＦＯメモリの間欠書込動作を説明するための図である。
【図３０】上記ディジタルワイドモードにおける垂直サイズ変換部の動作タイミングを説明するための図である。
【図３１】第２の実施の形態において、本発明を適用したディジタルビデオカメラの構成を示すブロック図である。
【符号の説明】
１００  ディジタルビデオカメラ
１０１  結像光学系
１０２  撮像素子（ＣＣＤ）
１０３  ＣＣＤ駆動パルス発生器
１０４  ＣＤＳ／ＡＧＣ回路
１０５  ＡＤ変換器
１０６  カメラ信号処理部
１０７  ズームスイッチ
１０８  ズーム制御回路
１０９  水平サイズ変換部
１１０  垂直サイズ変換部
１１１  記録再生信号処理部
１１２  記録ヘッド
１１３  再生ヘッド
１１４  ディジタルＩ／Ｆ
１１５  ビデオＩ／Ｆ
【図１】
0004266472.tif 000002
【図２】
0004266472.tif 000003
【図３】
0004266472.tif 000004
【図４】
0004266472.tif 000005
【図５】
0004266472.tif 000006
【図６】
0004266472.tif 000007
【図７】
0004266472.tif 000008
【図８】
0004266472.tif 000009
【図９】
0004266472.tif 000010
【図１０】
0004266472.tif 000011
【図１１】
0004266472.tif 000012
【図１２】
0004266472.tif 000013
【図１３】
0004266472.tif 000014
【図１４】
0004266472.tif 000015
【図１５】
0004266472.tif 000016
【図１６】
0004266472.tif 000017
【図１７】
0004266472.tif 000018
【図１８】
0004266472.tif 000019
【図１９】
0004266472.tif 000020
【図２０】
0004266472.tif 000021
【図２１】
0004266472.tif 000022
【図２２】
0004266472.tif 000023
【図２３】
0004266472.tif 000024
【図２４】
0004266472.tif 000025
【図２５】
0004266472.tif 000026
【図２６】
0004266472.tif 000027
【図２７】
0004266472.tif 000028
【図２８】
0004266472.tif 000029
【図２９】
0004266472.tif 000030
【図３０】
0004266472.tif 000031
【図３１】
0004266472.tif 000032